(57)【要約】【課題】  簡易な作業によってかご床の幅木材と壁板の相互を結合でき、かご室の仕様やサイズの差異に容易に対応できるエレベーターのかご室を得る。【解決手段】  幅木材２のフランジ状部３の上に壁板４の締結部５を重合して幅木材２の上に壁板４を立設する。そして、壁板４の締結部５に予め装着したクリップ６が弾性変形し第一屈曲部８、第二屈曲部９及び第三屈曲部１０によって幅木材２のフランジ状部３に嵌着する。これによって、幅木材２と壁板４を安定した状態に組立てできる。  したがって、簡易な作業により幅木材２と壁板４を結合でき、かご室の仕様やサイズの差異に容易に対応できる。このため、据付作業能率が向上し、据付費が低減する。また、かご室の仕様変更に容易に対応でき製作工程の混乱を防止し、また製作費を節減する。【選択図】        図４
2005343573.tif 000002
【特許請求の範囲】
【請求項１】
かご床の縁部に長手に沿って立設されて、上縁部に水平方向に延在するフランジ状部を有する幅木材と、下縁部が屈折されてなる締結部が上記フランジ状部と対面して配置されて上記幅木材の上に立設される壁板と、中間部が上記壁板の締結部に装着され、一側が屈曲されて上記幅木材のフランジ状部の自由端の端面と対面する第一屈曲部、この第一屈曲部がさらに上記中間部寄りに屈曲されて上記幅木材のフランジ状部の裏面に接する第二屈曲部及び他側が屈曲されて上記幅木材のフランジ状部における屈曲端側の幅木材面に接する第三屈曲部が形成されて、弾性変形して上記幅木材のフランジ状部に嵌着して上記幅木材のフランジ状部と上記壁板の締結部とを結合する弾性材製のクリップとを備えたエレベーターのかご室。
【請求項２】
かご床の縁部に長手に沿って立設されて、上縁部に水平方向に延在するフランジ状部を有する幅木材と、下縁部が屈折されてなる締結部が上記フランジ状部と対面して配置されて上記幅木材の上に立設される壁板と、上記幅木材のフランジ状部の上面及び壁板の締結部の下面の両者の一方に締結されて、レール状をなし長手が上記両者の一方の長手に沿って配置されて上記両者の他方に向かって開口した係合溝を有する係合体と、上記両者の他方に締結されて上記係合体の係合溝に弾性変形して嵌着して上記幅木材のフランジ状部と上記壁板の締結部とを結合する弾性材製の嵌着片とを備えたエレベーターのかご室。
【請求項３】
かご床の縁部に長手に沿って立設されて、上縁部に水平方向に延在するフランジ状部及びこのフランジ状部の自由端側が上方へ屈折されてなる突壁を有する幅木材と、下縁部が屈折されてなる締結部及びこの締結部の自由端側が上方へ屈折されてなる突出部が設けられて、上記締結部が上記幅木材のフランジ状部と対面し上記突出部が上記幅木材の突壁と対面して配置されて上記幅木材の上に立設される壁板と、一側が屈曲されて上記幅木材の突壁及び上記壁板の突出部の端面と対面する第一屈曲部、この第一屈曲部がさらに上記壁板の締結部寄りに屈曲されて上記壁板の突出部の裏面に接する第二屈曲部及び他側が屈曲されて上記幅木材のフランジ状部の下面に接する第三屈曲部が形成されて、弾性変形して上記幅木材のフランジ状部及び突壁並びに上記壁板の突出部に嵌着して上記幅木材のフランジ状部及び突壁と上記壁板の締結部及び突出部とを結合する弾性材製のクリップとを備えたエレベーターのかご室。
【発明の詳細な説明】
【技術分野】
【０００１】
この発明は、複数のパネル状部材が相互に締結されて構成されたエレベーターのかご室に関する。
【背景技術】
【０００２】
従来のエレベーターのかご室においては、床パネルの縁部に幅木パネルが設けられて、幅木パネルの上に複数枚の壁パネルが立設され、また壁パネルの上端に天井パネルが被着される。そして、幅木パネルの縁部とこの縁部に対向した壁パネルの縁部の相互、すなわち互いに対向したパネル状部材相互の縁部が、これらの対向した縁部に挿通されたボルト及びこのボルトの挿通端にねじ込まれたナットからなる締結具によって締結されてかご室が組立てられる。（例えば、特許文献１参照）。
【０００３】
【特許文献１】特開昭６２−９６２９０号公報（第３頁、第３図、第４図）
【発明の開示】
【発明が解決しようとする課題】
【０００４】
従来のエレベーターのかご室では、壁パネル等であって互いに隣接して配置されたパネル状部材相互の縁部が、これら縁部相互に挿通された複数本の締結具によって締結されて組立てられる。このため、エレベーターの据付現場においてかご室の組立のために煩雑な手数が掛かって据付作業能率が低下し、また据付費が嵩むという問題点があった。また、かご室の仕様やサイズによってパネル状部材のサイズが異なり、さらにパネル状部材における締結具の挿通位置も多様に変化する。
【０００５】
このため、パネル状部材の規格化が困難であって多種類のパネル状部材を準備することとなり、生産性が低く製作費が嵩むことになる。また、かご室の仕様変更に対する対応が容易でなく、例えば床パネルに設けられた締結具孔の位置を変更する必要が生じ手数が掛かったり、床パネルを再製作したりすることになる。これによって、製作工程が混乱して完成が遅れ、また製作費が増すという不具合が発生する。
【０００６】
この発明は、かかる問題点を解消するためになされたものであり、簡易な作業によってかご床の幅木材と壁板の相互を結合でき、かご室の仕様やサイズの差異に容易に対応できるエレベーターのかご室を得ることを目的とする。
【課題を解決するための手段】
【０００７】
この発明に係るエレベーターのかご室においては、かご床の縁部に長手に沿って立設されて、上縁部に水平方向に延在するフランジ状部を有する幅木材と、下縁部が屈折されてなる締結部が幅木材のフランジ状部と対面して配置されて幅木材の上に立設される壁板と、中間部が壁板の締結部に装着され、一側が屈曲されて幅木材のフランジ状部の自由端の端面と対面する第一屈曲部、この第一屈曲部がさらに中間部寄りに屈曲されて幅木材のフランジ状部の裏面に接する第二屈曲部及び他側が屈曲されて幅木材のフランジ状部における屈曲端側の幅木材面に接する第三屈曲部が形成されて、弾性変形して幅木材のフランジ状部に嵌着して幅木材のフランジ状部と壁板の締結部とを結合する弾性材製のクリップとが設けられる。
【発明の効果】
【０００８】
この発明によるエレベーターのかご室は、幅木材のフランジ状部の上に壁板の締結部が重合されて幅木材の上に壁板が立設される。そして、壁板の締結部に予め装着されたクリップが弾性変形して、クリップの第一屈曲部、第二屈曲部及び第三屈曲部によって幅木材のフランジ状部に嵌着する。これによって、幅木材のフランジ状部と壁板の締結部とが結合されて幅木材の上に壁板が安定した状態で組立てられる。このようにして、壁板等のパネル状部材相互の縁部に挿通される締結具を使用することなくかご室が組立てられる。
【０００９】
したがって、簡易な作業によってかご床の幅木材と壁板の相互を結合でき、またかご室の仕様やサイズの差異に容易に対応できる。このため、据付作業能率が向上し、据付費を低減する効果がある。また、かご室の仕様やサイズによる幅木材、壁板のサイズの差異、また締結具位置の差異に対して、かご床の幅木材と壁板の相互を容易に結合することができる。このため、かご室の仕様変更等に容易に対応することができて製作工程の混乱を防止でき、また製作費を節減する効果がある。
【発明を実施するための最良の形態】
【００１０】
実施の形態１．
図１〜図６は、この発明の実施の形態を示す図で、図１は壁板の一部を破断して示す斜視図、図２は図１における壁板の下縁部箇所を示すかご室内側の正面図、図３は図２の縦断側面図、図４は図３のＡ部拡大図、図５は図３の壁板の結合操作状況を示す図４相当図、図６は壁板の図５の次の結合操作状況を示す図４相当図である。図において、かご床１の縁部に長手に沿って幅木材２が立設される。
【００１１】
また、幅木材２の上縁部が屈折されて形成されて水平方向に延在するフランジ状部３が設けられる。そして、壁板４の下縁部が屈折されてなる締結部５が幅木材２のフランジ状部３と対面して配置されて壁板４が幅木材２の上に立設される。なお、壁板４は複数枚が幅木材２の上に縁部を互いに対向して立設されて、互いに隣接した縁部が適宜な締結具（図示しない）によって相互に締結される。
【００１２】
そして、ばね鋼板等からなる弾性材製のクリップ６が壁板４の締結部５に配置されて、クリップ６の中間部が締結部５にリベット７によって装着される。また、クリップ６の一側が屈曲されて第一屈曲部８が形成されて、幅木材２のフランジ状部３の自由端の端面と対面する。そして、第一屈曲部８の屈曲端側がさらにクリップ６の中間部寄りに屈曲されて第二屈曲部９が形成されて、幅木材２のフランジ状部３の裏面に接する。
【００１３】
また、クリップ６の他側が屈曲されて第三屈曲部１０が形成されて、幅木材２のフランジ状部３における屈折端側の幅木材２の立面に接する。そして、詳細は後述するがクリップ６は弾性変形して幅木材２のフランジ状部３に嵌着し、幅木材２のフランジ状部３及び壁板４の締結部５を結合する。なお、クリップ６は壁板４の幅方向において互いに離れて複数個が配置される。
【００１４】
上記のように構成されたエレベーターのかご室において、工場において予めクリップ６がリベット７によって壁板４の締結部５に装着される。そして、次に述べるようにして幅木材２に壁板４が結合されて幅木材２の上に壁板４が立設される。すなわち、図５に示すように幅木材２に対して壁板４をかご室内側へ傾けた状態で、幅木材２のフランジ状部３における自由端が、第一屈曲部８と第二屈曲部９とによって形成されたクリップ６の空所に挿入される。
【００１５】
そして、図５に示す状態から図５に示す矢印Ｂ方向に壁板４を回動して引き起し、さらに矢印Ｂ方向に壁板４を回動するとクリップ６の第三屈曲部１０が、幅木材２のフランジ状部３における屈折端側の幅木材２の立面側と対向して図６に示す状態となる。次いで、図６に示す状態からさらに図６に示す矢印Ｂ方向に壁板４を回動すると、クリップ６の第三屈曲部１０が幅木材２のフランジ状部３における屈折端側の幅木材２の立面と対面して図４に示す状態となる。
【００１６】
このようにして図４に示す状態において、クリップ６が弾性変形して第一屈曲部８、第二屈曲部９及び第三屈曲部１０によって幅木材２のフランジ状部３を押圧し、クリップ６が幅木材２のフランジ状部３に嵌着する。これにより、幅木材２のフランジ状部３と壁板４の締結部５とが結合されて幅木材２の上に壁板４が安定した状態で組立てられる。これによって、壁板４等のパネル状部材相互の縁部に挿通される締結具を使用することなくかご室が組立てることができる。
【００１７】
したがって、簡易な作業によってかご床１の幅木材２と壁板４の相互を結合でき、また、かご室の仕様やサイズの差異に容易に対応できる。このため、据付作業能率が向上し、据付費を低減することができる。また、かご室の仕様やサイズによる幅木材２、壁板４のサイズの差異、また締結具位置の差異に対して、かご床１の幅木材２と壁板４の相互を容易に結合することができる。このため、かご室の仕様変更等に容易に対応することができて、製作工程の混乱を防止でき、また製作費を節減することができる。
【００１８】
実施の形態２．
図７〜図９は、この発明の他の実施の形態を示す図で、図７は前述の図２相当図、図８は図７の縦断側面図、図９は図８のＣ部拡大図である。図において、前述の図１〜図６と同符号は相当部分を示し、幅木材２のフランジ状部３の上面にレール状の係合体１１がフランジ状部３の長手に沿って配置されて、ボルト１２によってフランジ状部３に締結される。また、係合体１１には横断面において上方に開口したＶ字状の嵌着溝１３が設けられ、嵌着溝１３の開口端寄りの内部に係合突部１４が突設される。
【００１９】
そして、壁板４の締結部５下面に弾性材製の嵌着片１５が配置されて、ボルト１６によって締結部５に締結される。また、嵌着片１５は横断面において係合体１１の嵌着溝１３に対応した形状をなし、横断面の基部寄りに係合体１１の係合突部１４に対応した係合部１７が設けられている。そして、嵌着片１５は下端を介して係合体１１の嵌着溝１３に圧入されると、図９において左右方向に弾性変形して縮小して係合体１１の係合突部１４に係合部１７が嵌合して係合体１１に嵌着する。
【００２０】
上記のように構成されたエレベーターのかご室において、工場において壁板４の締結部５に予め嵌着片１５がボルト１６によって装着され、また幅木材２のフランジ状部３に予め係合体１１がボルト１２によって装着される。そして、次に述べるようにして幅木材２に壁板４が結合されて幅木材２の上に壁板４が立設される。すなわち、幅木材２の上方に壁板４が配置されて嵌着片１５が係合体１１の嵌着溝１３に対向して配置され、この状態で嵌着片１５が嵌着溝１３に圧入される。
【００２１】
これによって、嵌着片１５が弾性変形して縮小して嵌着溝１３に嵌入し、係合体１１の嵌着溝１３の係合突部１４に係合部１７が係合し、嵌着片１５が係合体１１に嵌着する。そして、幅木材２のフランジ状部３と壁板４の締結部５とが結合されて幅木材２の上に壁板４が安定した状態で組立てられる。このように、壁板４等のパネル状部材相互の縁部に挿通される締結具を使用することなくかご室が組立てられる。したがって、詳細な説明を省略するが図７〜図９の実施の形態においても図１及び図２の実施の形態と同様な作用が得られる。
【００２２】
なお、図７〜図９の実施の形態の構成を応用して容易に次に述べるようにエレベーターのかご室を構成することができる。すなわち、幅木材２のフランジ状部３の上面に嵌着片１５を設け、また、壁板４の締結部５下面に係合体１１を設ける。このような構成においても、嵌着片１５を係合体１１に嵌着させることによって幅木材２のフランジ状部３と壁板４の締結部５とを結合することができて、図７〜図９の実施の形態における作用を得ることができる。
【００２３】
実施の形態３．
図１０〜図１３も、この発明の他の実施の形態を示す図で、図１０は前述の図２相当図、図１１は図１０の縦断側面図、図１２は図１１のＤ部拡大図、図１３は図１２の壁板の結合操作状況を示す図１２相当図である。図において、前述の図１〜図６と同符号は相当部分を示し、幅木材２のフランジ状部３の自由端側が上方へ屈折されて幅木材２に突壁１８が形成される。また、壁板４の締結部５の自由端側が上方へ屈折されて壁板４に突出部１９が形成される。
【００２４】
上記のように構成されたエレベーターのかご室において、次に述べるようにして幅木材２に壁板４が結合されて幅木材２の上に壁板４が立設される。すなわち、幅木材２のフランジ状部３及び突壁１８に、壁板４の締結部５及び突出部１９が重合して配置される。次いで、幅木材２の突壁１８及び壁板４の突出部１９の自由端が、第一屈曲部８と第二屈曲部９とによって形成されたクリップ６の空所に挿入されて図１３に示す状態となる。
【００２５】
そして、図１３に矢印Ｅに示す方向にクリップ６が押し下げられて、クリップ６の第三屈曲部１０が、幅木材２のフランジ状部３の裏面と対面して図１２に示す状態となる。これによって、クリップ６が弾性変形して第一屈曲部８、第二屈曲部９及び第三屈曲部１０によって、幅木材２のフランジ状部３及び突壁１８並びに壁板４の締結部５及び突出部１９を押圧し、クリップ６が幅木材２及び壁板４の重合部に嵌着する。
【００２６】
これにより、幅木材２のフランジ状部３及び突壁１８並びに壁板４の締結部５及び突出部１９とが結合されて幅木材２の上に壁板４が安定した状態で組立てられる。このように、壁板４等のパネル状部材相互の縁部に挿通される締結具を使用することなくかご室が組立てられる。したがって、詳細な説明を省略するが図１０〜図１３の実施の形態においても図１及び図２の実施の形態と同様な作用が得られる。
【図面の簡単な説明】
【００２７】
【図１】この発明の実施の形態１を示す図であり、壁板の一部を破断して示す斜視図。
【図２】図１における壁板の下縁部箇所を示すかご室内側の正面図。
【図３】図２の縦断側面図。
【図４】図３のＡ部拡大図。
【図５】図３の壁板の結合操作状況を示す図４相当図。
【図６】壁板の図５の次の結合操作状況を示す図４相当図。
【図７】この発明の実施の形態２を示す図で、前述の図２相当図。
【図８】図７の縦断側面図。
【図９】図８のＣ部拡大図。
【図１０】この発明の実施の形態３を示す図で、前述の図２相当図。
【図１１】図１０の縦断側面図。
【図１２】図１１のＤ部拡大図。
【図１３】図１２の壁板の結合操作状況を示す図１２相当図。
【符号の説明】
【００２８】
１  かご床、２  幅木材、３  フランジ状部、４  壁板、５  締結部、６  クリップ、８  第一屈曲部、９  第二屈曲部、１０  第三屈曲部、１１  係合体、１３  嵌着溝、１５  嵌着片、１８  突壁、１９  突出部。
【図１】
2005343573.tif 000003
【図２】
2005343573.tif 000004
【図３】
2005343573.tif 000005
【図４】
2005343573.tif 000006
【図５】
2005343573.tif 000007
【図６】
2005343573.tif 000008
【図７】
2005343573.tif 000009
【図８】
2005343573.tif 000010
【図９】
2005343573.tif 000011
【図１０】
2005343573.tif 000012
【図１１】
2005343573.tif 000013
【図１２】
2005343573.tif 000014
【図１３】
2005343573.tif 000015